(57)【要約】【課題】高圧ガス設備における点検箇所、点検時期等のデータベースに格納し、それぞれのデータを支援システムに取り込ませることで、点検工事計画の効率化を図り、点検落ちを防止すると共に、点検工事の内容に対応して必要となる申請書を容易に作成する。【解決手段】データベース１０、点検周期判定手段２２、点検内容決定手段２３、申請書フォーマット出力手段２５を備え、点検周期判定手段２２により点検する周期か否かについて判定され、点検内容決定手段２３により過去の点検実績との比較、点検経歴について判定され、点検内容と周期に過誤がないと判定されると、工事計画と工程が出力され、更に、申請書フォーマット出力手段２５により、これらの点検報告データから申請書が作成されて点検管理支援処理が終了するシステムである。【選択図】図１
2013145478.tif 000002
【特許請求の範囲】
【請求項１】
高圧ガス設備における点検工事の計画とその申請書を作成する高圧ガス設備点検管理支援システム（１００）であって、
高圧ガス設備に関する工事範囲、点検工事をする設備・機器に関する機器・点検内容情報データベース（１１）、過去に点検した点検結果と経歴に関する点検結果情報データベース（１２）、法律、規則に基づいて点検をする周期・期日に関する点検周期情報データベース（１３）及び申請書フォーマットを該当法令、規則と関連づけて格納した申請書フォーマット情報データベース（１４）が格納されたデータベース（１０）と、
前記データベース（１０）の情報の演算処理を行う処理装置（２０）と、入力装置（３０）とから成り、
前記データベース（１０）との間でデータを送受信することにより、高圧ガス設備における点検を行う設備・機器に関する機種、点検内容を入力する（２１）と、これらの点検する設備・機器に関する周期・期日を判定する点検周期判定手段（２２）と、その判定の結果問題がなければ点検工事計画・工程を決定する点検内容決定手段（２３）と、点検する際に提出する申請書又は変更許可の下付を求める変更許可申請書を作成する申請書フォーマット出力手段（２５）と、を備え、
操作者により、入力装置（３０）を用いて点検工事情報が前記点検工事情報データベース（１１）に格納され、
点検項目情報が入力されると点検項目入力手段（２１）により該当する点検内容が検索され、
点検周期判定手段（２２）により点検する周期か否かについて判定され、
必要な点検項目について、そのデータ情報が点検結果情報データベース（１２）に格納されると、点検内容決定手段（２３）により過去の点検実績との比較、点検経歴について判定され、点検内容と周期に過誤がないと判定されると、工事計画と工程が出力され、更に、申請書フォーマット出力手段（２５）により、これらの点検報告データから申請書が作成され、実際に点検工事に着手することができ、高圧ガス設備点検管理支援処理が終了する、ことを特徴とする高圧ガス設備点検管理支援システム。
【請求項２】
前記実施された点検工事に点検項目と時期に規則違反があったときに、再度点検するか否かについて判定する点検結果判定手段（２６）を、更に備えた、ことを特徴とする請求項１の高圧ガス設備点検管理支援システム。
【請求項３】
前記点検結果判定手段（２６）により再点検が必要と判定されたときに、再度点検する内容について変更があったときにそれが適切であるか否かについて判定する点検内容変更判定手段（２７）を、更に備えた、ことを特徴とする請求項２の高圧ガス設備点検管理支援システム。
【請求項４】
前記点検内容変更判定手段（２７）により検査されたときに変更許可が必要かどうかについて判定する、ことを特徴とする請求項３の環境測定業務管理支援システム。
【請求項５】
前記申請書フォーマット出力手段（２５）により報告書が作成される前に、点検工事に関連する法令と改正された法令について出力する法令データ出力手段を更に備え、常に新しい法律規則に則った内容で報告書が作成される、ことを特徴とする請求項１の高圧ガス設備点検管理支援システム。
【請求項６】
高圧ガス設備における点検工事の計画とその申請書を作成する高圧ガス設備点検管理方法であって、
高圧ガス設備における機器と点検内容及び点検周期に関する機器・点検内容情報（１１）と、これらの機器、点検内容について過去の点検結果と点検経歴に関する点検結果情報（１２）、法律、規則に基づいて機器と点検をする周期・期日に関する点検周期情報（１３）と申請書フォーマットを該当する法律規則等と関連づけて格納した申請書フォーマット情報（１４）が記憶されるデータベース（１０）を作成し、
高圧ガス設備の点検工事をする際に、前記データベース（１０）を参照し、その測定項目を設定し、
設定された点検項目について、点検機器、点検周期に該当するか否かについて判断し、
該当する点検機器、点検周期のときに、工事計画と工程を作成すると共に、費用を算定し、
更に、その点検工事に必要な申請書を作成する、ことを特徴とする高圧ガス設備点検管理方法。
【請求項７】
前記高圧ガス設備における点検工事を実施し、点検工事を検査した結果、再検査を実施する必要があり、その点検内容を変更するときに変更許可が必要なときに、変更許可申請書を作成する、ことを特徴とする請求項６の高圧ガス設備点検管理方法。
【発明の詳細な説明】
【技術分野】
【０００１】
本発明は、高圧ガス設備の配管・弁・機器などについて点検計画の作業管理技術に係り、特に高圧ガス設備の点検の計画作業と申請書の作成作業を支援する高圧ガス設備点検管理支援システム及びその点検管理方法に関する。
【背景技術】
【０００２】
発電所等を始め大規模な工場施設には、高圧ガス設備が備えられていることが多い。例えば、火力発電所では、燃料の燃焼過程において発生する窒素酸化物の除去目的で脱硝装置を設置している。この脱硝装置ではアンモニアが使用される。図４は高圧ガス設備の一例として、アンモニアガス設備の系統図を示す。このアンモニアガス設備は、図示するように多数の配管、弁及び機器などから構成されている。
【０００３】
この高圧ガス設備とは、一般に高圧ガスの製造のための設備のうち、公共の安全の維持または災害の発生の防止に支障を及ぼすおそれがないものとして政令で定められた設備のことをいう。高圧ガス設備は高圧ガス保安法により、年に一度配管・弁・機器の点検を行い、保安検査を受ける必要がある。これら点検の計画立案、保安検査申請書作成等の業務は煩雑な作業である。
【０００４】
例えば、高圧ガス設備の点検計画・装置の停止計画を策定する際に、図５の作業手順の流れ図に示すように、その点検計画、費用算定、工程策定、立案、点検工事を実施する。このとき高圧ガス設備に関する装置は停止する。高圧ガス設備の点検工事の後に報告書を作成し、次に保安検査申請書を提出して、保安検査が完了すれば、高圧ガス設備の使用を再開する。従来はこれらの一連の作業について、担当者がこれまでの経験により計画し、実施していた。
【０００５】
この保守対象となる機器の定期的な点検作業を支援する支援システムに関する技術が提案されている。例えば、特許文献１の特開２００４−１３３５８号公報「定期点検支援システム」のように、保守対象となる機器の定期的な点検作業を支援する定期点検支援システムにおいて、保守対象となる機器からその状態データを収集し、予め設定した期間に収集した状態データと所定の判定基準とに基づいて前記機器の診断を行い、かつ予め設定した期日毎に前記診断結果の出力を行う管理装置を備えた支援システムが提案されている。
【０００６】
また、点検作業に際して提出する申請書を作成するための技術も提案されている。例えば、特許文献２の特開２００７−２５７３８９号公報「申請書作成支援システム」のように、法令で届出が義務付けられている設備工事に関する情報を該当法令と関連付けて格納した設備工事データベースと、申請書フォーマットを該当法令と関連づけて格納した申請書フォーマットデータベースと、設備工事に関する情報を入力する設備工事情報入力手段と、前記設備工事データベースおよび前記申請書フォーマットデータベースを参照し、前記設備工事情報入力手段により入力された設備工事に対応して、必要となる申請書フォーマットを出力する申請書フォーマット出力手段と、を備えた申請書作成支援システムが提案されている。
【先行技術文献】
【特許文献】
【０００７】
【特許文献１】特開２００４−１３３５８号公報
【特許文献２】特開２００７−２５７３８９号公報
【発明の概要】
【発明が解決しようとする課題】
【０００８】
しかし、上述した高圧ガス設備について計画書作成、点検範囲決定、立案書作成、実施結果報告書作成、保安検査申請書作成等の業務は、煩雑で手間がかかる作業である。高圧ガス設備の点検基準は判りにくいため、経験の少ない担当者では点検項目を落しやすいという問題を有していた。
【０００９】
なお、特許文献１の「定期点検支援システム」では、一連の点検作業の落ちを防止できるものではなかった。また、特許文献２の「申請書作成支援システム」では、設備に係る法的申請書の支援に特化したシステムであるため、設備の点検計画から費用の算定、立案、実施等管理の全てに適用できるものではなかった。
【００１０】
本発明は、かかる問題点を解決するために創案されたものである。すなわち、本発明の目的は、高圧ガス設備における点検箇所、点検時期等のデータベースに格納し、それぞれのデータを支援システムに取り込ませることで、点検工事計画の効率化を図り、点検落ちを防止すると共に、点検工事の内容に対応して必要となる申請書を容易に作成することができる高圧ガス設備点検管理支援システム及びその点検管理方法を提供することにある。
【課題を解決するための手段】
【００１１】
本発明の点検管理支援システムは、高圧ガス設備における点検工事の計画とその申請書を作成する高圧ガス設備点検管理支援システム（１００）であって、高圧ガス設備に関する工事範囲、点検工事をする設備・機器に関する機器・点検内容情報データベース（１１）、過去に点検した点検結果と経歴に関する点検結果情報データベース（１２）、法律、規則に基づいて点検をする周期・期日に関する点検周期情報データベース（１３）及び申請書フォーマットを該当法令、規則と関連づけて格納した申請書フォーマット情報データベース（１４）が格納されたデータベース（１０）と、前記データベース（１０）の情報の演算処理を行う処理装置（２０）と、入力装置（３０）とから成り、前記データベース（１０）との間でデータを送受信することにより、高圧ガス設備における点検を行う設備・機器に関する機種、点検内容を入力する点検項目入力手段（２１）と、これらの点検する設備・機器に関する周期・期日を判定する点検周期判定手段（２２）と、その判定の結果問題がなければ点検工事計画・工程を決定する点検内容決定手段（２３）と、点検する際に提出する申請書又は変更許可の下付を求める変更許可申請書を作成する申請書フォーマット出力手段（２５）と、を備え、操作者により、入力装置（３０）を用いて点検工事情報が前記点検工事情報データベース（１１）に格納され、点検項目情報が入力されると点検項目入力手段（２１）により該当する点検内容が検索され、点検周期判定手段（２２）により点検する周期か否かについて判定され、必要な点検項目について、そのデータ情報が点検結果情報データベース（１２）に格納されると、点検内容決定手段（２３）により過去の点検実績との比較、点検経歴について判定され、点検内容と周期に過誤がないと判定されると、工事計画と工程が出力され、更に、申請書フォーマット出力手段（２５）により、これらの点検報告データから申請書が作成され、実際に点検工事に着手することができ、高圧ガス設備点検管理支援処理が終了する、ことを特徴とする。
【００１２】
前記実施された点検工事に点検項目と時期に規則違反があったときに、再度点検するか否かについて判定する点検結果判定手段（２６）を、更に備えることができる。
前記点検結果判定手段（２６）により再点検が必要と判定されたときに、再度点検する内容について変更があったときにそれが適切であるか否かについて判定する点検内容変更判定手段（２７）を、更に備えることができる。
前記点検内容変更判定手段（２７）により検査されたときに変更許可が必要かどうかについて判定することができる。
前記申請書フォーマット出力手段（２５）により報告書が作成される前に、点検工事に関連する法令と改正された法令について出力する法令データ出力手段を更に備え、常に新しい法律規則に則った内容で報告書が作成される。
【００１３】
本発明の点検管理方法は、高圧ガス設備における点検工事の計画とその申請書を作成する高圧ガス設備点検管理方法であって、高圧ガス設備における機器と点検内容及び点検周期に関する機器・点検内容情報（１１）と、これらの機器、点検内容について過去の点検結果と点検経歴に関する点検結果情報（１２）、法律、規則に基づいて機器と点検をする周期・期日に関する点検周期情報（１３）と報告書フォーマットを該当する法律規則等と関連づけて格納した申請書フォーマット情報（１４）が記憶されるデータベース（１０）を作成し、高圧ガス設備の点検工事をする際に、前記データベース（１０）を参照し、その測定項目を設定し、設定された点検項目について、点検機器、点検周期に該当するか否かについて判断し、該当する点検機器、点検周期のときに、工事計画と工程を作成すると共に、費用を算定し、更に、その点検工事に必要な申請書を作成する、ことを特徴とする。
【００１４】
前記高圧ガス設備における点検工事を実施し、点検工事を検査した結果、再検査を実施する必要があり、その点検内容を変更するときに変更許可が必要なときに、変更許可申請書を作成する。
【発明の効果】
【００１５】
本発明の高圧ガス設備点検管理支援システム及びその点検管理方法では、高圧ガス設備点検管理支援システム（１００）に、点検設備、機器項目と実際の点検結果のデータを入力又は格納することで、点検項目を操作者が入力するだけで、点検周期判定手段（２２）により点検する周期か否かについて判定され、点検内容決定手段（２３）により過去の点検実績との比較、点検経歴について判定され、点検内容と周期に過誤がないと判定されると、工事計画と工程が出力される。そこで、担当者はこれらの連絡を受けることができ、測定落ちを防止することができる。
更に、申請書フォーマット出力手段（２５）により、これらの点検報告データから申請書が作成され、間違いを防止することができるので、円滑に点検工事に着手することができる。
【００１６】
また、実施された点検工事に点検項目と時期に規則違反があったときに、再度点検するか否かについて判定され、再点検が必要と判定されたときに、再度点検する内容について変更があったときにそれが適切であるか否かについても判定されるので、漏れのない点検工事を実現することができる。
【００１７】
高圧ガス設備における点検業務の点検計画と申請書作成の労力を大幅に削減でき、点検業務の効率化を図ることができ、その点検落ちをなくすことができる。また、ベテラン担当者でなくても点検業務を実施することができる。更に、過去の点検経歴がわかりやすいので、参考にしやすい。
【図面の簡単な説明】
【００１８】
【図１】実施例１の高圧ガス設備点検管理支援システムを示すブロック図である。
【図２】データベースに格納されたアンモニアガス設備における点検項目情報の一例を示す表である。
【図３】実施例１のシステムが実行する支援処理の一例を示すフローチャートである。
【図４】高圧ガス設備の一例であるアンモニアガス設備を示す系統図である。
【図５】従来の高圧ガス設備点検業務の作業手順に示す作業の流れ図である。
【発明を実施するための形態】
【００１９】
本発明の高圧ガス設備点検管理支援システムは、発電所に備えられた高圧ガス設備の設備、機器について点検計画の設定と申請書を作成するシステムである。
【実施例１】
【００２０】
以下、本発明の実施の形態を図面を参照して説明する。
図１は実施例１の高圧ガス設備点検管理支援システムを示すブロック図である。
実施例１の高圧ガス設備点検管理支援システム１００は、図１に示すように、データベース１０、点検項目入力手段２１、点検周期判定手段２２、点検内容決定手段２３、費用算定手段２４、申請書フォーマット出力手段２５および点検内容変更判定手段２７を主な構成要素としている。これら点検項目入力手段２１、点検内容決定手段２３、申請書フォーマット出力手段２５、点検結果判定手段２６および点検内容変更判定手段２７等は、コンピュータシステムおよびその周辺機器により構成され、コンピュータシステムおよびその周辺機器がアプリケーションプログラムに従って動作することにより、各手段の機能を発揮するようになっている。
【００２１】
実施例１の高圧ガス設備点検管理支援システム１００は、発電所等における高圧ガス設備の機器情報と、点検内容情報のデータ等を入力する入力装置３０と、点検作業のために点検の周期を計画決定し、その重要度の判断などを行う処理装置２０と、機器情報と、点検内容情報と、点検工事別の点検費用情報などの情報を記憶するデータベース１０と、処理装置２０によって算出された高圧ガス設備の設備、機器について、決定した点検内容と算定した点検費用情報、申請書等を表示する表示装置４０を備えたシステムである。
【００２２】
入力装置３０は、例えばキーボードやマウスなどの情報入力装置によって構成され、ユーザインタフェースとして用いられる。表示装置４０は、例えば液晶表示装置などの情報表示装置によって構成される。
【００２３】
処理装置２０は、例えばＣＰＵなどの情報処理装置によって構成され、高圧ガス設備における点検を行う設備又は機器に関する機種、点検内容を入力する点検項目入力手段２１と、点検する設備又は機器に関する周期・期日を判定する点検周期判定手段２２、その判定の結果問題がなければ点検工事計画・工程を決定する点検内容決定手段２３、その点検する設備又は機器に要する点検工事の費用を算定する費用算定手段２４、点検する際に提出する申請書又は変更許可の下付を求める変更許可申請書を作成する申請書フォーマット出力手段２５、点検結果に基づいて該当する項目が点検工事されているか否かについて判定する点検結果判定手段２６と点検内容について変更があったときにその内容が適切であるか否かについて判定する点検内容変更判定手段２７を含む。
【００２４】
データベース１０は、高圧ガス設備の設備機器の点検に必要なデータを格納した部分であり、ハードディスク記憶装置等の大容量記憶装置を含んで構成される。また、点検項目入力手段２１と、点検周期判定手段２２と点検内容決定手段２３と、費用算定手段２４と、申請書フォーマット出力手段２５と、点検結果判定手段２６と、点検内容変更判定手段２７は、このデータベース１０との間でデータを送受信することにより、各手段としての動作を行うようになっている。
【００２５】
データベース１０は、例えば情報記憶装置によって構成され、対象となる高圧ガス設備に関する工事範囲、点検工事する設備・機器に関する機器・点検内容情報データベース１１（工事範囲、機器名称、点検内容、費用など）と、過去に点検した点検結果と経歴に関する点検結果情報データベース１２、法律、規則に基づいて点検をする周期・期日に関する点検周期情報データベース１３、申請書フォーマットを該当法令、規則と関連づけて格納した申請書フォーマット情報データベース１４が格納されたデータベースである。
【００２６】
図２はデータベースに格納されたアンモニアガス設備における点検項目情報の一例を示す表１である。
上記したデータベース１０には、図２の表１に示すような点検工事範囲と点検工事内容に関する情報が格納される。この点検工事情報を示す一覧は、アンモニア受入貯蔵設備定期点検工事に関するものであり、その上段に工事範囲とその下段に工事内容から成る。これらの工事範囲と点検工事内容については高圧ガス保安法又は社内規則などで定められている。
「工事範囲」として点検する高圧ガス設備が該当する。図示例はアンモニア受入貯蔵設備の定期点検工事の一例である。
【００２７】
「工事内容」として点検する個々の設備、機器、弁などがあり、例えば図示するように、アンモニアタンク、受入コンプレッサー、ローディングアーム、アンモニア気化器、アキュームレーター、アンモニアヘッダー、安全弁、弁（逆止弁、サイトグラス含む）、ストレーナ金網取替、アンモニア製造設備気密試験助勢、アンモニア設備散水ノズル、吸収槽、排水ポンプ、補修塗装、弁取外・点検時フランジ面手入れ、各部分解点検に伴う保温解体・復旧、足場仮設・解体、弁グランド増し締めなどがある。
【００２８】
例えば、「安全弁」については分解点検（消耗品取替え）、作動試験などがある。
「アンモニア設備散水ノズル」については、ノズル清掃、散水テスト、散水量流量測定、消火栓流量測定、散水配管塗装などがある。
【００２９】
「工事内容」として点検する個々の設備、機器、弁などがあり、例えば図示するように、アンモニアタンク、受入コンプレッサー、ローディングアーム、アンモニア気化器、アキュームレーター、アンモニアヘッダー、安全弁、弁（逆止弁、サイトグラス含む）、ストレーナ金網取替、アンモニア製造設備気密試験助勢、アンモニア設備散水ノズル、吸収槽、排水ポンプ、補修塗装、弁取外・点検時フランジ面手入れ、各部分解点検に伴う保温解体・復旧（ウレタン）、場仮設・解体、弁グランド増し締め、直送系統流量計前後ブロー配管塞ぎ取付部修理、液面計上段下側ノズル部、ガス受入遮断弁フランジ部焼鈍処理、受入液ストレーナ、逆止弁、前配管取替などがある。
【００３０】
例えば、「ストレーナ金網取替」については、丸ローディングアーム出口の金網の取替、気化器入口の金網の取替、アキュームレーター入口の金網の取替などがある。
「アンモニア設備散水ノズル」については、ノズル清掃、散水テスト、散水量流量測定、消火栓流量測定、散水配管塗装などがある。
【００３１】
更に詳細には、機械関係工事、非破壊検査工事と電気・計装関係工事の３種類がある。「機械関係工事」としては、外観点検、分解点検、開放点検、作動テスト、内部清掃などがある。「非破壊検査工事」としては、アンモニアタンク・気化器・配管の肉厚測定と溶接線等検査、配管内部点検（ファイバースコープ）、フランジ取外面の検査などがある。「電気・計装関係工事」としては、発信器、調節計、計器、現場指示計などの校正、操作器、電磁弁等の分解点検、作動テストなどがある。
【００３２】
点検の周期としては、１年、１・２年、３年、４年、５年、６年、１０年がある。これらの点検の周期は高圧ガス保安法又は社内規則などで定められている。機械関係工事の機器としてアンモニアタンクについては、表２の機械関係工事一覧表に示すように、例えば液面計分解点検は１年の周期であり、タンク開放点検（内部点検・清掃）は５年の周期で点検する。気化器については、気化器開放点検（内部点検・耐圧試験・清掃）は３年の周期であり、気化器水面計（清掃）は１年の周期で点検する。安全弁については、分解点検（取替を含む）は１・２年の周期であり、作動テストは１・２年の周期で点検する。
【００３３】
【表２】
2013145478.tif 000003
【００３４】
非破壊検査工事としてアンモニアタンクについては、貯槽肉厚測定は１年の周期であり、貯槽溶接線等肉厚測定は５年の周期で点検する。気化器については、コイル肉厚測定は３年の周期であり、気化器溶接線等肉厚測定は３年の周期で点検する。配管については、配管内肉厚測定は１年の周期であり、ファイバースコープによる配管内部点検は１年の周期であり、配管放射線検査は１年の周期で点検する。
【００３５】
電気・計装関係工事として、発信器の校正は３年の周期で点検する。調節計の校正は３年の周期で点検する。操作器の分解点検・作動テストは１・２・３年の周期で点検する。これら以外に機器に応じて点検周期が定められている。
【００３６】
図３は実施例１の高圧ガス設備点検管理支援システム１００が実行する点検に関する支援処理の一例を示すフローチャートである。
高圧ガス設備点検管理支援システム１００は、データベース１０との間でデータを送受信することにより、点検工事内容と周期が法律、規則違反がないか否かについて判定され、違反がないときは点検内容が決定される。
【００３７】
例えば点検周期判定手段２２により自動算定される際に、入力された点検項目について、その点検項目は点検工事をする周期（時期）に該当する項目か否かについて判断される。このとき、点検周期判定手段２２により、点検項目情報が点検周期情報データベース１３に格納されると、点検の周期（時期）が判定される。
【００３８】
点検内容決定手段２３により、入力された点検項目について、更に法令等による規則上の規則周期か否かについて判断される。点検内容とその点検周期に間違いがないときは点検内容が決定される。この決定内容は表示装置４０に表示される。更に、点検工事計画・工程として印刷される。なお、点検計画内容に変更があるとき、又は法令等による規則上の点検周期でないときは、その点検項目を再度入力する。
【００３９】
点検内容が決定されたときは費用算定手段２４により、過去の点検結果が格納されている点検結果情報データ１２に基づきそれぞれの点検内容毎の点検費用が算定される。この算定内容は表示装置４０に表示される。更に、点検工事計画・工程として印刷される。
これらの点検工事計画・工程と算定された費用から点検工事内容の立案がなされ、これが印刷される。
【００４０】
次に、点検工事内容の立案について、申請書フォーマット出力手段２５により、点検工事計画・工程について機器、工事内容、周期から申請書が作成される。申請書フォーマット情報のデータベース１４を参照して該当する申請書フォーマットを呼び出し、呼び出された申請書フォーマットを利用して申請書が作成される。そして、作成された申請書は表示装置４０に表示され、更に印刷されて処理が終了する。また、必要に応じて、作成された申請報告書データを記憶してもよい。
【００４１】
なお、申請書フォーマット出力手段２５により申請書が作成される前に、高圧ガス保安法その他関連する法令と改正された法令について出力する法令データ出力手段（図示していない）により、新しい法律規則に則った内容と一致した内容か否か判定されるようにしてもよい。これにより常に新しい法律と規則に則った内容で報告書が作成されるようになる。
【００４２】
次に、点検工事内容の立案と、保安検査申請書を関係する官庁へ提出したら、高圧ガス設備に関して、図２の表１に示した点検内容について、所定の工事範囲における機械関係工事、非破壊検査工事と電気・計装関係工事を実施する。このとき点検工事する工事範囲ではその設備装置を停止する。
【００４３】
この点検工事の結果について、点検結果のデータについて、点検結果判定手段２６により点検結果情報データ１２に基づいて該当する項目が点検工事されているか否かについて判断される。問題がなければ、検査受審され、その審査の結果に問題がなければ点検工事は完了する。点検工事のために停止していた高圧ガス設備の機器の使用を再開する。
【００４４】
点検結果判定手段２６により、問題があると判断されてときは次のように取り扱われる。点検内容変更判定手段２７により、再点検工事に際して点検内容に変更があるときに、その変更許可が必要か否かが判定される。変更許可が必要ないときは、検査受審される。
【００４５】
一方、変更許可が必要なときは、申請書フォーマット出力手段２５により、変更許可についてその申請書が作成される。そして、作成された変更許可申請書は表示装置４０に表示され、更に印刷されて処理が終了する。また、必要に応じて、作成された申請報告書データを記憶してもよい。
【００４６】
なお、本発明は、高圧ガス設備における点検箇所、点検時期等をデータベース１０に格納し、それぞれのデータを支援システム１００に取り込ませることで、点検工事計画の効率化を図り、点検落ちを防止すると共に、点検工事の内容に対応して必要となる申請書を容易に作成することができれば、上述した発明の実施の形態に限定されず、本発明の要旨を逸脱しない範囲で種々変更できることは勿論である。
【産業上の利用可能性】
【００４７】
本発明の高圧ガス設備点検管理支援システム及びその点検管理方法は、発電所、工場に限定されず、高圧ガス設備が設置されている施設であれはこのシステムと方法を利用することができる。
【符号の説明】
【００４８】
１００  高圧ガス設備点検管理支援システム
１０  データベース
１１  機器・点検内容情報データベース
１２  点検結果情報データベース
１３  点検周期情報データベース
１４  申請書フォーマット情報データベース
２０  処理装置
２１  点検項目入力手段
２２  点検周期判定手段
２３  点検内容決定手段
２４  費用算定手段
２５  申請書フォーマット出力手段
２６  点検結果判定手段
２７  点検内容変更判定手段
３０  入力装置
４０  表示装置
【図１】
2013145478.tif 000004
【図２】
2013145478.tif 000005
【図３】
2013145478.tif 000006
【図４】
2013145478.tif 000007
【図５】
2013145478.tif 000008